(57)【要約】      （修正有）【課題】常時使用可能になされたサドルカバー操作装置収納籠が、連結一体とし簡単で楽にサドルに被せることの出来る自転車のサドルカバーを提供する。【解決手段】防水、防熱性のある表布３ａと吸水性のある裏布３ｂを合わせて縁にゴム紐４を通したサドルカバー３を作成し、サドル１後部の下部に固定した円筒８の中を移動する芯にサドルカバー３の後部左右２箇所に開けた穴を移動芯６の片方を連結し、その反対側は円筒８に差込移動芯６を伸縮させるつまみ部にストッパーを設けた操作かんと連結し、円筒８と一体となっている側面底面が格子状の収納籠９を備えたことを特徴とする自転車のサドルカバー。【選択図】図１
0003137143.tif 000002
【実用新案登録請求の範囲】
【請求項１】
サドルカバー後部を左右に伸縮させる装置と、サドルカバー本体を収納する収納カゴを備えたことを特徴とする自転車のサドルカバー。
【請求項２】
防水、防熱性のある表布（3a）と吸水性のある裏布（3b）を合わせて縁にゴム紐（4）を通したサドルカバー（3）を作成しサドル（1）後部の下部に固定した円筒（8）の中を移動する芯にサドルカバー（3）の後部左右2箇所に開けた穴を移動芯（6）の片方を連結しその反対側は円筒（8）に差込移動芯（6）を伸縮させるつまみ（12a）部にストッパー（12b）を設けた操作かん（12）と連結し円筒（8）と一体となっている側面底面が格子状の収納籠（9）を備えたことを特徴とする自転車のサドルカバー。
【請求項３】
サドルカバー（3）先端下部に穴を開けその穴に摘みかん（5）を設けサドルカバー（3）の後部の最も広い下部にも左右二つの穴を開け移動芯（6）の一端と連結し、成型一体となった固定台（7）円筒（8）収納籠（9）をサドル（1）に付いた左右二本のスプリングを支える水平柱（2）に固定し円筒（8）の中央から左右に操作かん（12）用互い違い溝（11）を設け操作かん（12）を差込円筒（8）の左右の端から連結されたサドルカバー（3）と移動芯（6）の反対側を円筒（8）に挿入し操作かん（12）と連結する操作かん（12）に設けた突起（12b）と一体になった摘み（12a）を操作する事によってサドルカバー（3）移動芯（6）がサドル（1）の後部の最も広い所より外側に突き出す事によりサドルカバー（3）のサドル（1）からの脱着を容易にし円筒（8）と一体の収納籠（9）に走行時はサドルカバー（3）を収納するサドルカバー（3）移動芯（6）操作かん（12）収納籠（9）が連結一体となったことを特徴とする自転車のサドルカバー。
【考案の詳細な説明】
【技術分野】
【０００１】
本考案はサドルカバーと連結した左右伸縮装置と下部に収納カゴを設けた自転車のサドルカバーに関するものである。
【背景技術】
【０００２】
従来のサドルカバーはサドル保護又は装飾用に常時被せたままであったり1枚1枚外したり裏返ししたりして使用している。文献によると収納袋が付いていたり扇型の物もあるらしいが見掛けた事がない雨の日多く見掛けるのはビニール袋を被せたり布で拭いている姿である。
【０００３】
【特許文献１】特願2005-187290号公報
【特許文献２】実願平7-5466号公報
【特許文献３】特願2002-114291号公報
【考案の開示】
【考案が解決しようとする課題】
【０００４】
従来のものにおいては次のような欠点があった。
（1）  脱着時両手を必要とし雨の中ではその作業が困難である。
（2）  ビニール袋を被せられたものにおいては内側が湿気によってビニール袋とサドルが密着し、用を足していない。
（3）  雨が降り止んだ後周辺にビニール袋が捨てられたりサドルを拭いた布をサドルのしたに突き込んで走行中その布が道路に落ちていたり環境に良くない現象が多く見られる。本考案はこれらの欠点をなくすためになされたものである。
【課題を解決するための手段】
【０００５】
本考案は防水、防熱性のある表布（3a）と吸水性のある裏布（3b）を合わせて縁にゴム紐（4）を通したサドルカバー（3）を作成しサドル（1）後部の下部に固定した円筒（8）の中を移動する芯にサドルカバー（3）の後部左右2箇所に開けた穴を移動芯（6）の片方を連結しその反対側は円筒（8）に差込移動芯（6）を伸縮させるつまみ（12a）部にストッパー（12b）を設けた操作かん（12）と連結し円筒（8）と一体となっている側面底面が格子状の収納籠（9）を設ける。以上の構成よりなる自転車のサドルカバーである。
【考案の効果】
【０００６】
サドルカバー防水、防熱、吸水、機能を持たせることにより、晴れ、雨、埃の日を問わず常時使用することが出来る。円筒の中の操作かんを操作することによってサドル後部の出っ張った部分をなんなくサドルカバーを脱着させることが出来るので傘をさしている時でも片手で容易に脱着可能である収納籠の側面底面を格子状にすることによってサドルカバーに付いた水滴を自転車の走行時の振動によって流れ落ち風圧によって乾燥も速くなり随時使用可能である。サドルカバーを伸縮させる装置と収納籠が連結一体となっているため必要に応じて何回でも繰り返し使用できる事を目的とした考案である。
【考案を実施するための最良の形態】
【０００７】
防水、防熱性ある表布（3a）と吸水性のある裏布（3b）を合わせサドル（1）を包み込める広さに裁断しその縁を折り返しゴム紐（4）が自由に伸縮出来るような幅を取って周囲を縫い袋状サドルカバー（3）を形成するサドルカバー（3）の全部先端の下部に穴を開け摘みかん（5）取り付け同時にサドルカバー（3）のもっとも広い後部両側下部にも左右に穴を開け左右2本の移動芯（6）の細く丸くなった方をサドルカバー（3）後部に空けられた穴に差し穴を通された移動芯（6）の先端にはサドルカバー（3）が外れないように留めを設ける。サドル（1）の左右2本のスプリングを支える水平柱（2）に成型で一体化された固定台（7）円筒（8）収納籠（9）の円筒（8）部をサドルスプリング各々の中心に合わせ固定材（10）によって固定するその根拠はサドルカバー（3）を収納籠（9）に収納時サドルカバー（3）の開口部が上面を向いているため雨等の降りこみをサドル（1）本体で遮る為である円筒（8）には移動芯（6）を動かす操作かん（12）用溝（11）を円筒（8）中央から左右に移動芯（6）の先端がサドル（1）後部の最も広い所より外に突き出す所まで溝（11）を互い違いに設けるサドルカバー（3）後部の左右の穴に連結された2本の移動芯（6）の反対側の中心に操作かん（12）と連結する為の穴を設け左右から円筒内に挿入し溝（11）より差し入れられた操作かん（12）と連結するこれによってサドルカバー（3）移動芯（6）操作かん（12）がつながり操作かん（12）の片側につまみ（12a）を設けるこのつまみ（12a）の左右の内側に突起（12ｂ）を設けサドルカバー（3）をサドル（1）より突出するように操作かん（12）を操作した場合つまみ（12a）の位置が円筒中央に左右が交差しつまみ（12a）の突起（12ｂ）がストッパーの役目を担う円筒（8）の下部にサドルカバー（3）をサドル（1）からはずし収納する収納籠（9）が一体となっている収納籠（9）は側面底面が格子状で上縁にはサドルカバー（3）とのこすれを緩和するため丸みを持たせる本考案は以上の構造からなるものである。
【実施例】
【０００８】
収縮位置になっている左右移動芯（6）に連結した操作かん（12）つまみ（12a）を２本同時に指で円筒（8）の中央に寄せることによって操作かん（12）移動芯（6）サドルカバー（3）が左右外側に向けて移動し左右のつまみ（12a）交差したところでストッパー（12b）が働くこのとき移動した移動芯（6）とサドルカバー（3）がサドル（1）の最も広い部分の外側に出る。次に収納籠（9）の中にあるサドルカバー（3）の先端につけた摘みかん（5）を持ち上げサドル（1）の後部から前部に引き被せるサドルの先端下部まで被せ終わったらサドルカバー（3）の周囲を点検し操作かん（12）の交差を解除するとサドルカバー（3）の縁に施されたゴム紐（4）の収縮力でサドル（1）を包み込むと同時に自動的に移動芯（6）と操作かん（8）ももとの位置に戻る。サドルカバー（3）を収納するときも同じ要領で操作かん（12）を操作して移動芯（6）サドルカバー（3）を広げサドル（1）の先端からサドルカバー（3）を外し円筒（6）の下部にいったいとなっている収納籠（9）にサドルカバー（3）を収納し交差しているつまみ（12a）を解除することによってサドルカバー（3）移動芯（6）操作かん（12）が元の収縮位置に戻る。上述のように本考案の構成からなる実施例である。
【図面の簡単な説明】
【０００９】
【図１】本考案の実施側面図及び一部切片断面図
【図２】本考案の実施背面斜視図
【図３】本考案の実施平面図
【符号の説明】
【００１０】
1  サドル
2  水平柱
3  サドルカバー及び（表布）3a（裏布）3b
4  ゴム紐
5  摘みかん
6  移動芯
7  固定台
8  円筒
9  収納籠
10 固定材
11 溝
12 操作かん及び（摘み12a突起12b）
【図１】
0003137143.tif 000003
【図２】
0003137143.tif 000004
【図３】
0003137143.tif 000005